(57)【特許請求の範囲】
【請求項１】
ロータンク洋式便器の洗浄水制御装置であって、
洋式便器の洗浄水路又は洗浄水路と連続している配管に、給水弁と洋式便器タンクからの洗浄水を供給し、且つ前記洗浄水路と洋式便器タンクと連通している作動チャンバーが設けられる給水管と、
前記作動チャンバーに回転可能に取り付けられ、給水管の水路を開ける又は閉めることに使われ、前記給水管の水路を閉める時に、洗浄水を洋式便器のタンクに保存する水路切替え部品と、
洋式便器タンク内に設けられ、且つ、洋式便器タンク内の水位が第一浮体の作動水位より低い時に、回転する第一浮体と、
前記第一浮体と協働し、且つ、第一浮体が回転するまでは、下方向に運動せず、且つ前記水路切替え部品と移動可能に接続していることで、第一浮体の回転に対する制限が取消されると、下に向いて運動し、水路切替え部品を駆動して給水管の水路を閉める制御レバーと、
制御レバーと協働し、前記制御レバーの上方向への運動を制御することで、水路切替え部品を駆動して給水管の水路を開けるオープン部品と、
を含むことを特徴とするロータンク洋式便器の洗浄水制御装置。
【請求項２】
洋式便器に水を補充する補水機構をさらに含み、前記補水機構は前記水路切替え部品に設けられる補水孔を含み、又は、前記補水機構は補水通路を含み、前記補水通路は前記洗浄水路と接続し、且つ、補水通路に前記補水通路の通水面積を調整する補水調節片が取り付けられることを特徴とする請求項１に記載のロータンク洋式便器の洗浄水制御装置。
【請求項３】
前記水路切替え部品は一つのバッフル板であり、前記バッフル板の軸線は前記バッフル板の回動軸線と平行し、前記給水管の側面に接続口が設けられ、前記接続口は前記作動チャンバーの前側に位置し、且つ洋式便器タンクと作動チャンバーと連接していることを特徴とする請求項１に記載のロータンク洋式便器の洗浄水制御装置。
【請求項４】
前記水路切替え部品は一つのバッフル板であり、前記バッフル板の軸線は前記バッフル板の一端に設置された回動軸と垂直になり、前記バッフル板の回動軸は前記制御レバーと移動可能に連接し、前記給水管の側面に接続口が設けられ、前記接続口は前記作動チャンバーの前面に位置し、且つ、洋式便器のタンクや作動チャンバーと接続することを特徴とする請求項１に記載のロータンク洋式便器の洗浄水制御装置。
【請求項５】
前記バッフル板は扇形であり、前記給水管の作動チャンバーの形はバッフル板の形とフィットし、前記バッフル板の円心部は回して前記作動チャンバーの対応位置と接続し、且つバッフルは前記作動チャンバー側面に設置される開口部を通して前記作動チャンバーに回転しつつ出入りし、前記バッフル板の円心部から伸びる第一接続部が形成され、前記第一接続部は前記制御レバーと移動可能に接続していることを特徴とする請求項３に記載のロータンク洋式便器の洗浄水制御装置。
【請求項６】
洋式便器タンク内に設置されるサポートをさらに含み、前記第一浮体は回転可能に前記サポートに取り付けられ、且つ洋式便器タンク内の水位が前記作動水位より低い時に、回転が発生し、前記制御レバーは移動可能にサポートに取り付けられることを特徴とする請求項１に記載のロータンク洋式便器の洗浄水制御装置。
【請求項７】
洋式便器タンク中に設置されるサポートをさらに含み、前記第一浮体は上下移動可能に前記サポートに取り付けられ、且つ洋式便器タンク内の水位が前記作動水位より低い時に、下方向へ移動でき、さらに一つの伝動機構を含み、前記第一浮体は前記伝動機構を通して前記制御レバーと移動可能にフィットし、前記制御レバーは移動可能にサポートに取り付けられることを特徴とする請求項１に記載のロータンク洋式便器の洗浄水制御装置。
【請求項８】
前記制御レバーの側面に凸部が設けられ、前記第一浮体に凸部を引っ掛けるホックが設けられ、前記第一浮体が回転するまで、前記ホックは凸部を引っ掛け、前記制御レバーの下方向への運動を制限することを特徴とする請求項６に記載のロータンク洋式便器の洗浄水制御装置。
【請求項９】
前記伝動機構は水平摺動可能に前記サポートに取り付けられるスライド、回転可能に前記サポートに取り付けられる駆動部品と弾性部品を含み、前記制御レバーの側面に凸部が設けられ、スライドに凸部を引っ掛ける引っ掛かり部が設けられ、前記第一浮体に一つのガイド棒が一体成形又は固定で接続され、駆動部品の一端は回転可能に前記ガイド棒と接続し、駆動部品のもう一端はスライドと移動可能に接続することで、前記第一浮体は下へ運動する時にスライドを押して運動させることで、スライドの引っ掛かり部が凸部から離れ、スライドは弾性部品を通してリセットすることを特徴とする請求項７に記載のロータンク洋式便器の洗浄水制御装置。
【請求項１０】
前記オープン部品は前記制御レバーに接続又は一体成形する第二浮体であることを特徴とする請求項１又は６又は７又は８又は９に記載のロータンク洋式便器の洗浄水制御装置。
【請求項１１】
前記オープン部品は洋式便器の排水制御機構と相互連動するレバーであり、前記レバーは前記制御レバーと同時にフィットすることを特徴とする請求項６又は７又は８又は９に記載のロータンク洋式便器の洗浄水制御装置。
【請求項１２】
前記レバーは回転可能に前記サポートの上部に接続され、且つ、前記レバーは回転軸のラジアル方向に沿って第二接続部が設けられ、前記第二接続部に条状孔が設けられ、前記制御レバーの上部の側面に一つのピンが設けられ、前記ピンは条状孔と滑動可能にフィットすることを特徴とする請求項１１に記載のロータンク洋式便器の洗浄水制御装置。
【請求項１３】
前記給水管は作動チャンバー前側の水路にノズルが設けられ、及び/又は前記給水管は作動チャンバー前側の水路に圧力制御弁が設けられることを特徴とする請求項１〜９のいずれか一項に記載のロータンク洋式便器の洗浄水制御装置。
【発明の詳細な説明】
【技術分野】
【０００１】
本発明はロータンク洋式便器に関し、具体的にはロータンク洋式便器の洗浄水制御装置に関わる。
【背景技術】
【０００２】
伝統的な洋式便器では、タンクを便座の上部に設置し、水の重力作用を受け、タンク内の水は容易に洋式便器の洗浄水路に入り、便鉢面を洗い流す。しかし、この洋式便器は大きい空間を占め、梱包や輸送が不便で、且つコストが高いという欠点がある。そのため、ロータンク洋式便器が市販されるようになり、そのタンクは便座後ろの内部に設置され、占用空間が大きく減るようになった。しかし、このロータンク洋式便器は以下の欠点が存在している。タンク中の水位は洋式便器リム部（つまり、洗浄部）との落差が小さく、また、洋式便器リム部より低い。従って、洗い流す時、洋式便器リム面を洗い流すための必要な十分な水はタンクから提供できない。
【０００３】
中国公開番号ＣＮ１０３１０４０１４Ａの特許は、ロータンク洋式便器のリム部給水切換装置を提供し、それは洗浄水供給管(１１０)、給水切換部品（１３０）、水位調節部品（１５０）、浮玉（１６０）、浮子（２４０）、管体（２２０）等の部品を設置することで、タンクの排水過程において、給水弁からの洗浄水を便座のリム部に導き、便鉢面を洗い流す。現有技術のロータンク洋式便器は洋式便器の洗浄要求を満足できない欠点を解決した。しかし、この特許出願公開の技術案に以下の欠点が存在している。管体（２２０）は給水弁、蓄水箱と連通しているので、管体（２２０）内の水位変化は同時に給水弁の圧力、洗浄水供給管（１１０）の吸引力、蓄水箱水位の高さに影響され、給水弁に水が入る時に、管体（２２０）内部の水に吸引力を与え、管体（２２０）内部の水は直接洋式便器に引かれる。つまり、作動する時に、管体（２２０）内部の水位はタンク水位からの影響が小さく、給水圧力、洗浄供給管の吸引力からの影響が大きい。管体内の浮子（２４０）は管体（２２０）内部水位の高さに感応して上下浮動し、タンク水位の高さを直接感応しない。そのため、給水弁の給水圧力の変化と吸引能力の変動は直接管体（２２０）内部水位の高さに影響し、さらに、給水切換部品の開閉の切換に影響する。つまり、この給水切換装置は同じセットの給水弁、排水弁と一緒に、異なった作動圧力で使用される時に、給水切換量が異なり、リムを洗浄する時に、給水量が足りなくて洗浄効果が良好でなくなったり、又は、給水量が多すぎて、水の浪費が発生し、給水圧力からの影響が大きい。その他、この技術案は部品が多く、構造が複雑などの欠点もある。
【発明の概要】
【発明が解決しようとする課題】
【０００４】
本発明は現有技術におけるロータンク洋式便器リム部の給水切換装置に存在している問題を克服し、ロータンク洋式便器洗浄水制御装置を提供することを目的とする。
【課題を解決するための手段】
【０００５】
本発明の具体的な技術案は、ロータンク洋式便器の洗浄水制御装置であり、それは以下のことを含む。
【０００６】
洋式便器の洗浄水路又は洗浄水路と連続している配管に、給水弁と洋式便器タンクからの洗浄水を供給し、且つ両側水路と洋式便器タンクとに連通している作動チャンバーが設けられる給水管。
【０００７】
前記作動チャンバーに回転可能に取り付けられ、給水管の水路を開ける又は閉めることに使われ、前記給水管の水路を閉める時に、洗浄水を洋式便器のタンクに貯留する水路切替え部品。
【０００８】
洋式便器タンク内に設けられ、且つ、洋式便器タンク内の水位が作動水位より低い時に、それに応じた動作を取る第一浮体。
【０００９】
前記第一浮体と協働し、且つ、第一浮体が回転する前に、下方向への運動を制御し、且つ前記水路切替え部品と移動可能に接続していることで、第一浮体の制限が取消されると、下に向いて運動し、水路切替え部品を駆動して給水管の水路を閉める制御レバー。
【００１０】
制御レバーと協働し、前記制御レバーの上へのリセットを制御することで、水路切替え部品を駆動して給水管の水路を開けるオープン部品。
【００１１】
好ましい実施形態において、さらに、洋式便器に水を補充する補水機構を含み、前記補水機構は前記水路切替え部品に設けられる補水孔を含み、又は、前記補水機構は補水通路を含み、前記補水通路の両側はそれぞれ前記給水管と対応する作動チャンバーの両側の水路と接続し、且つ、補水通路に前記補水通路の通水面積を調整する補水調節片が取り付けられる。
【００１２】
好ましい実施形態において、前記水路切替え部品は一つのバッフル板であり、前記バッフル板の軸線は前記バッフル板の回動軸線と平行し、前記給水管側面に連通口が設けられ、前記連通口は前記作動チャンバーの前面に位置し、且つ洋式便器タンクと作動チャンバーと連接している。
【００１３】
好ましい実施形態において、前記水路切替え部品は一つのバッフル板であり、前記バッフル板の軸線は前記バッフル板の一端に設置された回動軸と垂直になり、前記バッフル板の回動軸は前記制御レバーと移動可能に連接し、前記給水管の側面に連通口が設けられ、前記連通口は前記作動チャンバーの前面に位置し、且つ、洋式便器のタンクや作動チャンバーと接続する。
【００１４】
好ましい実施形態において、前記バッフル板は扇形であり、前記給水管の作動チャンバーの形はバッフル板の形とフィットし、前記バッフルの円心部は回ると前記作動チャンバーの対応位置と接続し、且つバッフルは前記作動チャンバー側面の開口部を通して前記作動チャンバーに回転しつつ出入りし、前記バッフル板の円心部から伸びる第一接続部が形成され、前記第一接続部は前記制御レバーと移動可能に接続している。
【００１５】
好ましい実施形態において、さらに、洋式便器タンク中に設置されるサポートを含み、前記第一浮体は回転可能に前記サポートに取り付けられ、且つ洋式便器タンク内の水位が作動水位より低い時に、回転するようになり、前記制御レバーは移動可能にサポートに取り付けられる
【００１６】
好ましい実施形態において、さらに、洋式便器タンク中に設置されるサポートを含み、前記第一浮体は上下移動可能に前記サポートに取り付けられ、且つ洋式便器タンク内の水位が作動水位より低い時に、下方向へ移動でき、さらに一つの伝動機構を含み、前記第一浮体は前記伝動機構を通して前記制御レバーとフィットし、前記制御レバーは移動可能にサポートに取り付けられる。
【００１７】
好ましい実施形態において、前記制御レバーの側面に凸部が設けられ、前記第一浮体に凸部を引っ掛けるホックが設けられ、前記第一浮体が回転する前に、そのホックは凸部に引っ掛かり、それで、前記制御レバーの下方向への運動を制限する。
【００１８】
好ましい実施形態において、前記伝動機構は水平摺動可能に前記サポートに取り付けられるスライドと、回転可能に前記サポートに取り付けられる駆動部品と弾性部品とを含み、前記制御レバーの側面に凸部が設けられ、スライドに凸部を引っ掛ける引っ掛かり部が設けられ、前記第一浮体は一つのガイド棒と一体成形又は固定接続され、駆動部品の一端は回転可能に前記ガイド棒と接続し、駆動部品のもう一端はスライドと移動可能に接続することで、前記第一浮体は下へ運動する時にスライドを押して運動させ、スライドの引っ掛かり部は凸部から離れ、スライドは弾性部品によってリセットされる。
【００１９】
好ましい実施形態において、前記オープン部品は前記制御レバーと接続又は一体成形する第二浮体である。
【００２０】
好ましい実施形態において、前記オープン部は洋式便器の排水制御機構と相互連動するレバーであり、前記レバーは前記制御レバーと同時にフィットする。
【００２１】
好ましい実施形態において、前記レバーは回転可能に前記サポートの上部に接続され、且つ、前記レバーは回転軸のラジアル方向に沿って第二接続部が設けられ、前記第二接続部に条状孔が設けられ、前記制御レバーの上部の側面に一つのピンが設けられ、前記ピンは条状孔と滑動可能にフィットする。
【００２２】
好ましい実施形態において、前記給水管は作動チャンバー前側の水路に合わせてノズルが設けられ、そして/又は前記給水管は作動チャンバー前側の水路に合わせて圧力制御弁が設けられる。
【発明の効果】
【００２３】
現有技術と比べ、本発明には以下のメリットがある。
【００２４】
１、本発明は排水する時に、給水弁と洋式便器タンクからの洗浄水を洋式便器の洗浄水路に引き、洋式便器の便鉢面を洗い流す以外に、以下の特徴を持っている。第一浮体は直接洋式便器タンク内に設けられ、タンク内の水位の高さを直接に感応できると同時に、本発明は第一浮体を利用して、制御レバーの位置を決め、このことで、水路切替え部品が閉める時の切替えポイントを完全に第一浮体によって制御し、給水弁の給水圧力及び他の部品とは関係ないので、本発明は給水管の給水量を安定に制御でき、給水圧力変化からの影響が小さく、同じデザインの給水弁、排水弁を取り付ける時に、洗い流す効果を満足する条件下で、その給水量が安定で、位置、作動圧力から制限されなく、応用が広い。
【００２５】
２、本発明全体構造が小さく、部品が少なく、且つ製品密閉性に対する要求が低いので、製品製造の難度が低くなり、製品の合格率が大幅に高くなる。
【００２６】
３、本発明はさらに、給水通路と補水調節片が設置され、このことで、様々な洋式便器によって、給水量を調整することができ、本発明の適用性が良く、各種類型の洋式便器に適用する。
【００２７】
４、本発明の水路切替え部品は、好ましくは軸線と回転軸線が平行又は垂直なバッフル板を採用し、それは以下の特徴があり、バッフル板は大きい角度を回さなくても、給水管の水路を完全に開ける又は閉めることができるので、占用空間が小さく、全体構造の体積がさらに小さくなり、配置はよくまとまっている。
【００２８】
以下は図と実施例を結合して本発明をさらに説明する。しかし、本発明のロータンク洋式便器洗浄水の制御装置は実施例に限定されるものではない。
【図面の簡単な説明】
【００２９】
【図１】図１は本発明実施例一の分解図である。
【図２】図２は本発明実施例一の構造略図である。
【図３】図３は本発明実施例一の横方向の断面図である。
【図４】図４は本発明実施例一の縦方向の断面図一（水路切替え部品が開いた状態）である。
【図５】図５は本発明実施例一の縦方向の断面図二（水路切替え部品が開いた状態）である。
【図６】図６は本発明実施例一の縦方向の断面図三（水路切替え部品が閉じた状態）である。
【図７】図７は本発明実施例一の縦方向の断面図四（水路切替え部品が閉じた状態）である。
【図８】図８は本発明実施例二の立体構造図である。
【図９】図９は本発明実施例二の縦方向の断面図一（水路切替え部品が開いた状態）である。
【図１０】図１０は本発明実施例二の縦方向の断面図二（水路切替え部品が開いた状態）である。
【図１１】図１１は本発明実施例二の縦方向の断面図三（水路切替え部品が閉じた状態）である。
【図１２】図１２は本発明実施例二の縦方向の断面図四（水路切替え部品が閉じた状態）である。
【図１３】図１３は本発明実施例三の立体構造図である。
【図１４】図１４は本発明実施例三の縦方向の断面図一（第一浮体が回転する）である。
【図１５】図１５は本発明実施例三の縦方向の断面図二（第一浮体がリセットされる）である。
【図１６】図１６は本発明実施例四の立体構造図である。
【図１７】図１７は本発明実施例四の一つの縦方向の断面図である。
【図１８】図１８は本発明実施例五の一つの縦方向の断面図である。
【図１９】図１９は本発明実施例五のもう一つの縦方向の断面図である。
【図２０】図２０は本発明実施例六の分解図である。
【図２１】図２１は本発明実施例六の構造図である。
【図２２】図２２は本発明実施例六の洗浄する前の断面図一である。
【図２３】図２３は本発明実施例六の洗浄する前の断面図二である。
【図２４】図２４は本発明実施例六の洗い流す過程の断面図である。
【図２５】図２５は本発明実施例六の蓄水過程中の断面図一である。
【図２６】図２６は本発明実施例六の蓄水過程中の断面図二である。
【図２７】図２７は本発明実施例六の蓄水過程中の断面図である。
【図２８】図２８は本発明実施例七の蓄水過程中の断面図である。
【図２９】図２９は本発明実施例七の蓄水過程中の断面図である。
【図３０】図３０は本発明実施例七の蓄水終了時の断面図である。
【図３１】図３１は本発明実施例八の構造図である。
【図３２】図３２は本発明実施例八の駆動排水時の断面図である。
【図３３】図３３は本発明実施例八の蓄水過程中の断面図である。
【図３４】図３４は本発明実施例八の蓄水終了時の断面図である。
【発明を実施するための形態】
【００３０】
＜実施例一＞
図１〜図７に示すように、本発明のロータンク洋式便器の洗浄水制御装置は以下のものを含む。
【００３１】
給水管１は洋式便器の洗浄水路又は洗浄水路と連続している配管に、給水弁と洋式便器タンクからの洗浄水を供給することに使われる。前記給水管１に作動チャンバー１１が設けられ、前記作動チャンバー１１は給水管１の両側の水路や洋式便器タンクと連通している。この給水管の両側水路は給水管１内部に、作動チャンバーによって分割された二部分の水路であり、前記二部分の水路は作動チャンバーを通して連通している。前記給水管１の側面に、さらに連通口１２が設けられ、前記連通口１２は前記作動チャンバー１１の前側に位置し、且つ、洋式便器タンクと作動チャンバー１と連通している。
【００３２】
前記作動チャンバー１１に回転可能に取り付けられる水路切替え部品は給水管１の水路を開ける又は閉めることに使われ、且つ前記給水管１の水路を閉鎖する時に、前記連通口１２を通して洗浄水を洋式便器のタンクに貯留させる。
【００３３】
第一浮体は洋式便器タンク内に設けられ、具体的には、前記第一浮体は洋式便器タンク内に設置されるサポート６に取り付けられ、前記第一浮体は洋式便器タンク内の水位が作動水位より低い時に、それに応じた動作を取る。
【００３４】
上下運動できる制御レバー４が設けられ、前記第一浮体は前記制御レバー４と移動可能に協働し、且つ、第一浮体が回転する前に、制御レバー４の下方向への運動を制御する。前記制御レバー４は前記水路切替え部品と移動可能に接続していることで、第一浮体の制限が取消されると、下に向いて運動し、水路切替え部品を駆動して給水管１の水路を閉める。
【００３５】
オープン部品は制御レバー４と協働し、前記制御レバー４の上へのリセットを制御することで、水路切替え部品を駆動して給水管１の水路を開ける。
【００３６】
本実施例において、さらに洋式便器に水を補充する補水機構を含む。前記補水機構は前記水路切替え部品に設けられる補水孔２１を含み、前記補水孔２１は前記水路切替え部品で前記給水管１の水路を閉めるときに、洋式便器の洗浄水路に水を補充する。
【００３７】
本実施例において、前記水路切替え部品は一つのバッフル板２であり、前記バッフル板２の軸線は前記バッフル板２の回動軸線と平行する。前記バッフル板２の一端にガイド溝２２が設けられ、バッフル板２で前記給水管１の水路を閉める時に、洗浄水を洋式便器タンクに導くことができる。前記バッフル板２は扇形であり、前記給水管１の作動チャンバー１１の形はバッフル板２の形とフィットし、且つ、側面に一つの開口部が設けられる。前記バッフル板２の円心部は一つの回転軸を通して回転して前記作動チャンバー１１開口部の上部に連接することで、バッフル板２は作動チャンバー１１の側面開口部を通して前記作動チャンバー１１に回転しつつ出入りする。
【００３８】
本実施例において、前記バッフル板２の円心部から伸びる第一接続部が形成され、前記接続部に一つの条形孔２３が取り付けられ、前記制御レバー４の側面に一つのレバー４４が設けられ、前記レバー４４は滑動可能に条形孔２３とフィットする。
【００３９】
本実施例において、前記第一浮体は具体的には浮き容器３であり、前記浮き容器３の一側に水平の回転軸３２が設けられ、サポート６の上部は対応して二つの軸孔６１が設けられ、回転軸３２は回転して軸孔６１と接続することで、浮き容器３を回転可能にサポート６と接続させ、且つ、洋式便器タンク内の水位が作動水位より低い時に回転させる。
【００４０】
本実施例において、前記制御レバー４の側面に凸部４１が設けられ、且つ前記凸部４１の外側に上方向に向かって設置されるガイド斜面が設けられ、前記浮き容器３はその回転軸に合わせて下側に凸部４１を引っ掛けるホック３１が設けられ、浮き容器３が回転する前に、ホック３１は凸部４１を引っ掛け、それで、前記制御レバーの下方向への運動を制限する。
【００４１】
本実施例において、前記オープン部品は前記制御レバー４の上部に取り付けられる第二浮体であり、且つ、前記浮体は具体的には、浮子５である。前記制御レバー４の上部と対面している二つの側面にそれぞれ、上から下に、多数のスロット４２が設置され、且つ両側のスロット４２はそれぞれ対応し、浮子５に一つの上下貫通している通路が設けられ、前記浮子５は通路を利用して制御レバー４の上部に嵌め込まれて、且つ、その上部はＵ字型のスロット４３を使って制御レバー４上部の二つのスロット４２に嵌め込まれて、位置限定を実現する。その他、浮子５の高さを調整することができる。調整してから、二つのＵ字型スロットを使って制御レバー４のスロット４２とフィットし、浮子５の上部、下部の位置を限定する。
【００４２】
本実施例において、前記サポート６の内部側面にガイド溝６２が設けられ、前記制御レバー４は移動可能に前記サポート６に取り付けられ、且つ、前記ガイド溝６２を利用して制御レバー４の上下運動をガイドする。
【００４３】
本実施例において、前記給水管１は二段の管体を連接してなるものであり、その内の一段の管体は給水弁と接続し、もう一段の管体は洋式便器の洗浄水路と接続し、且つ、前記作動チャンバー１１と連通口１２が設置される。
【００４４】
本実施例において、前記浮き容器３は浮子又は浮玉に代替されることができ、前記浮子５は浮き容器又は浮玉に代替されることもでき、前記バッフル板２及びその形状は本発明の好ましい選択であるが、本発明の水路切替え部品はバッフル板２及びその形状に限らない。つまり、本発明の水路切替え部品は他の構造の部品を選んでもよい。例えば、非扇形のバッフル板、非板状のバッフル部品である。
【００４５】
本発明のロータンク洋式便器の洗浄制御装置、その作動過程は以下である。
【００４６】
図４、図５に示すように、洋式便器を洗浄する前に、浮き容器３と浮子５は浮き上がる状態であり、バッフル板２は開いた状態であり、浮き容器３のホック３１は制御レバー４の凸部４１に引っ掛かる。
【００４７】
洋式便器を洗い流す時に、排水弁が作動し、タンク内の水を洋式便器の噴射水路に排出し、タンク内の水位が低くなり、給水弁を駆動して給水する。給水弁から水が出ると、洗浄水は給水管１に提供され、同時に、タンク内の水は給水管１の連通口１２を通して給水管１に吸収され、給水弁からの洗浄水と一緒に洗浄水路に排出され、洋式便器の便鉢面を洗い流し、排水弁を閉めた後、給水管１は継続して洋式便器に水を提供する。タンク内の水位が浮き容器３の作動水位まで下がるまで、浮き容器３は浮き上がる状態を保ち、ホック３１は制御レバー４の凸部４１に引っ掛かり、制御レバー４が下に落ちず、バッフル板２は開いた状態を保つ。図６、図７に示すように、タンク内の水位が継続して下がり（浮き容器３の作動水位より低い）、浮き容器３は時計回りの方向に回転し、制御レバー４をホックから外し、この過程において、浮子５はタンク内水位の低下に伴って下がり、制御レバー４の重力作用と一緒に、バッフル板２を駆動して時計回り方向に回転して給水管１の内部水路を閉める。この時に、給水弁は続いて給水し、大部分の洗浄水はバッフル板２のガイド溝２２を通して洋式便器タンクに貯水され、少量の洗浄水はバッフル板２に設置された補水孔２１及び給水管１を通して洋式便器の洗浄水路に流れ、洋式便器を補水する。
【００４８】
貯水過程において、タンク内の水位は段々高くなり、タンク内の水位は浮き容器３の最低作動水位より高い時に、浮き容器３は完全に浮き上がるまで、反時計回りの方向に回転する。その時、給水弁は相変わらず給水し、バッフル板２に時計回りの引っ張る力を与え、制御レバー４に下方向への引っ張る力を間接的に提供し、且つ、タンク内の水位は浮子５を埋める時に、引っ張る力は浮子５の浮力より大きいので、給水管１は閉じた状態を保ち、タンクを継続して貯水させる。
【００４９】
貯水が終わった後に、給水弁から入る水がバッフル板２への衝突力を消失し、浮子５が受ける浮力は浮子５及び制御レバー４の重力より大きく、浮子５は制御レバー４とともに浮き上がり、完全に開くまで、バッフル板２を引っ張って反時計回転させ、次回の排水に備える。図４に示すように、制御レバー４は浮き上がる過程に、凸部４１のガイド斜面は浮き容器３のホック３１を押して小さい角度で揺動させることで、凸部４１は上に上がり、浮き容器３のホック３１を超えて浮き容器３のホック３１に引っ掛かり、洗浄する前の状態に戻す。
【００５０】
本発明のロータンク洋式便器の洗浄水制御装置は洗浄している時に、浮き容器３の作動状態は完全にタンク内の水位に影響され、給水弁の給水圧力とは関係がない。浮子５は制御レバーが上に浮き上がる浮力を提供するだけで、制御レバー４がいつ浮き上がるかを決めることができず、つまり、バッフル板２を開ける時刻が決められず、給水する過程において、入れた水はバッフル板２を衝突して引っ張る力を提供し、浮子が早めに浮き上がることが防止されるので、圧力が違っても、給水管１が開く時の切替え時点は、給水弁の水が停止する時刻である。そのため、本発明の全体は給水圧力の変化からの影響が小さく、同じデザインの給水弁、排水弁をフィットして取り付ける時に、洗浄効果を満足することを前提とする時に、位置、作動圧力の制限を受けず、応用範囲が広い。
【００５１】
＜実施例二＞
図８〜図１２に示すように、本発明のロータンク洋式便器洗浄水制御装置と前記実施例一の相違は以下である。
【００５２】
前記第一浮体（つまり、浮き容器３）は上下移動可能に前記サポート６に取り付けられ、且つ、洋式便器タンク内の水位は作動水位より低い時に、下へ移動できる。さらに、一つの伝動機構７を含み、前記浮き容器３は前記伝動機構７を通して前記制御レバー４と連動してフィットする。
【００５３】
本実施例において、前記伝動機構７は水平摺動可能に前記サポート６に取り付けられるスライド７１、回転可能に前記サポート６に取り付けられる駆動部品７３と弾性部品を含み、前記制御レバー４の側面に前記実施例一と同じ凸部４１が設けられ、スライド７１に凸部４１を引っ掛ける引っ掛かり部７４が設けられ、且つ、引っ掛かり部７４の外側表面には下に向かうガイド斜面がある。浮き容器３に一つのガイド棒３３が一体成形され、駆動部品７３の一端は回転可能に前記ガイド棒３３と接続し、駆動部品７３のもう一端はスライド７１と移動可能に接続することで、浮き容器３は下に向いて運動する時にスライド７１を押して運動させ、スライド７１の引っ掛かり部７４は凸部４１から離れる。スライド７１は弾性部品を通してリセットする。具体的には、前記弾性部品はトーションバネ７２であり、それは前記駆動部品７３の回転軸に取り付けられ、且つ、その両端はそれぞれ前記駆動部品７３と前記スライド７１と突っ張る。その以外、前記弾性部品はスプリングでもよく、スプリングを使用する時に、スプリングをスライド７１とサポート６の内壁に連接してもよい。
【００５４】
本発明のロータンク洋式便器の洗浄制御装置の作動過程は以下である。
【００５５】
図９、図１０に示すように、洋式便器を洗浄する前に、浮き容器３と浮子５は浮き上がる状態であり、バッフル板２は開いた状態であり、スライド７１の引っ掛かり部７４は制御レバー４の凸部４１に引っ掛かる。
【００５６】
洋式便器を洗い流す時に、排水弁が作動し、タンク内の水を洋式便器の噴射水路に排出し、タンク内の水位が低くなり、給水弁を駆動して給水する。給水弁から水が出ると、洗浄水は給水管１に提供され、同時に、タンク内の水は給水管１の連通口１２を通して給水管１に吸収され、給水弁からの洗浄水と一緒に洗浄水路に排水され、洋式便器の便鉢面を洗い流し、排水弁を閉めた後、給水管１は継続して洋式便器に水を提供する。タンク内の水位が浮き容器３の作動水位まで下がるまで、浮き容器３は浮き上がる状態を保ち、スライド７１の引っ掛かり７４部は制御レバー４の凸部４１に引っ掛かり、制御レバー４が下に落ちず、バッフル板２は開いた状態を保つ。タンク内の水位が継続して下がり（浮き容器３の作動水位より低い）、浮き容器３は下へ移動し始め、駆動部品７３を時計回りの方向に回転させてスライド７１を右へと押して水平移動させ、このことで、制御レバー４はスライド７１の位置制限から離れ、トーションバネはエネルギーを蓄積する。図１１、図１２に示すように、この過程において、浮子５はタンク内水位の低下に伴って下がり、制御レバー４の重力作用と一緒に、給水管１の内部水路を閉めるまで、バッフル板２を駆動して時計回り方向へ回転させる。この時に、給水弁は続いて給水し、大部分の洗浄水はバッフル板２のガイド溝２２及び給水管１の連通口１２を通して洋式便器タンクに貯水され、少量の洗浄水はバッフル板２に設置された補水孔２１及び給水管１を通して洋式便器の洗浄水路に流れ、洋式便器を補水する。
【００５７】
貯水過程において、タンク内の水位は段々高くなり、タンク内の水位は浮き容器３の最低作動水位より高い時に、浮き容器３は浮き上がり、それで完全に浮き上がる。浮き容器３の上昇に伴い、駆動部品７３は段々反時計回りの方向に回転し、同時に、トーションバネがエネルギーを放出し、スライドを左へと水平運動させてリセットする。その時、給水弁は相変わらず給水し、バッフル板２に時計回りの引っ張る力を与え、制御レバー４に下方向への引っ張る力を間接的に提供し、且つ、タンク内の水位は浮子５を埋める時に、前記引っ張る力は浮子５の浮力より大きいので、給水管１は閉じた状態を保ち、タンクが継続して貯水する。
【００５８】
貯水が終わった後に、給水弁から入る水がバッフル板２への衝突力を消失し、浮子５が受ける浮力は浮子５及び制御レバー４の重力より大きく、浮子５は制御レバー４とともに浮き上がり、完全に開くまで、バッフル板２を引っ張って反時計回転させ、次回の排水に備える。図７、図８に示すように、制御レバー４は浮き上がる過程に、凸部４１のガイド斜面はスライド７１の引っ掛かり部７４のガイド斜面と触れ、且つ、制御レバー４が上がると共に、凸部４１のガイド斜面はスライド７１を右側に押して滑動し、場所を与え、凸部４１は上に上がり、スライド７１の引っ掛かり部７４を超えてスライド７１の引っ掛かり部７４に引っ掛かり、洗浄する前の状態に戻す。
【００５９】
＜実施例三＞
図１３〜図１５に示すように、本発明のロータンク洋式便器洗浄水制御装置と前記実施例一の相違は以下である。
【００６０】
前記オープン部は洋式便器の排水制御機構と相互連動するレバー８であり、前記レバー８は前記制御レバー４と接続している。具体的には、前記レバー８は回転可能に前記サポート６の上部に接続され、且つ、前記レバー８は回転軸のラジアル方向に沿って第二接続部が設けられ、前記第二接続部にアーク形の条状孔８１が設けられ、前記制御レバー４の上部の側面に一つのピン４５が設けられ、前記ピン４５は条状孔８１と滑動可能にフィットする。
【００６１】
排水を駆動する時に、駆動レバー８を連動して制御レバー４とともに上へと運動し、そのことで、バッフル板２とともに反時計回りの方向に回して給水管１の内部水路を開き、制御レバー４側面の凸部４１は浮き容器３のホック３１に引っ掛かる。この過程では、浮き容器３の浮力は未だ消えていないので、制御レバー４及びバッフル板２は運動しない。図１４に示すように、タンク内の水位は浮き容器３の作動水位より低い時に、浮き容器３は時計回りの方向に回し、ホック３１を制御レバー４の凸部４１から離れ、制御レバー４は重力作動を受けて下へと運動し、バッフル板２を駆動して時計回りの方向に回して給水管１の内部水路を閉める。
【００６２】
図１５に示すように、タンク内の水位は段々高くなり、浮き容器３の作動水位まで上がる時に、浮き容器３が浮き上がり、制御レバー４とバッフル板２の材料の比重は水より大きいので、制御レバー４は最低位置にあり、バッフル板２は給水管１の内部水路を閉める状態を保つ。
【００６３】
＜実施例四＞
図１６、図１７に示すように、本発明のロータンク洋式便器の洗浄水制御装置の前記実施例一との違いは、前記浮子５が一体成形して制御レバー４の上部に位置することである。それ以外に、本発明のほかの構造及び作動過程は実施例一と同じである。
【００６４】
＜実施例五＞
図１８、図１９に示すように、本発明のロータンク洋式便器の洗浄水制御装置の前記実施例一との主な違いは、本発明の補水機構は補水通路１２を含み、さらに本発明は補水調節片９を含み、補水通路１２は給水管１に一体成形され、且つ、補水通路１２は前記洗浄水路と接続し、補水通路１２に補水調節片９が取り付けられることである。補水通路１２は具体的に、水平段と直立段を含み、前記補水調節片９は水平段と直立段の交差部に設けられ、且つ水平移動でき、補水通路１２の通水面積を調節することに使われ、従って補水量を調節する。本発明の適用性が良く、各種類の様々な補水量要求のある洋式便器に適用できる。
【００６５】
本実施例において、前記給水管１が前記作動チャンバー１１に対応する前側の水路に、さらに交換できるノズル１０が設けられ、前記ノズル１０を利用して水の流速を調節することができ、従って、洗浄効果を向上することができる。
【００６６】
本実施例において、前記給水管１が前記作動チャンバー１１に対応する前側の水路に、さらに圧力制御弁１０１が取り付けられ、具体的には、前記圧力制御弁１０１は給水管１の対応位置の側面に置かれる。給水圧力の変動が大きい時に、圧力制御弁１０１を利用してバッフル板２を流す水の圧力を安定化することができ、水の流速を相対的に安定に保つことができ、洗浄効果が安定する。
【００６７】
＜実施例六＞
図２０〜図２７に示すように、実施例一との相違は、前記バッフル板２の軸線は前記バッフル板２の一端に設置された回動軸２４と垂直になり、前記バッフル板２の回動軸２４は一つの接続部品２５を通して前記制御レバー４と移動可能に連接することである。前記バッフル板２にさらにシール２６が設けられ、バッフル板２で給水管１の内部水路を閉める時に、前記シール２６はバッフル板２と給水管１の内壁の間に突っ張って設置され、両者間の隙間を有効に密閉できる。
【００６８】
本実施例において、浮き容器３は上下移動可能に前記サポート６に取り付けられ、且つ、洋式便器タンク内の水位が作動水位より低い時に下へと移動する。さらに一つの伝動機構７が設けられ、前記浮き容器３は前記伝動機構７を通して前記制御レバー４と連動してフィットする。前記浮き容器は具体的には、一つのガイド棒３３に固定して接続され、駆動部品７３の一端は回転可能に前記ガイド棒３３に接続され、駆動部品７３のもう一端はスライド７１と移動可能に接続することで、浮き容器３は下へ運動する時にスライド７１を押して運動させ、スライド７１の引っ掛かり部７４は凸部４１から離れる。スライド７１は弾性部品を通してリセットする。具体的には、前記弾性部品はトーション７２であり、それは前記駆動部品７３の回転軸に取り付けられ、且つ、その両端はそれぞれ前記駆動部品７３と前記スライド７１と突っ張って設置される。
【００６９】
本実施例において、前記補水機構は補水通路１２を含み、さらに本発明は補水調節片９を含み、補水通路１２は給水管１の中に一体成形され、且つ、補水通路１２の両側はそれぞれ前記給水管１がその作動チャンバー１１に対応する両側の水路と接続し、補水通路１２に補水調節片９が取り付けられ、前記補水調節片９は補水通路１２の通水面積を調節することに使われ、従って補水量が調節できる。本発明の適用性が良く、各種類の様々な補水量要求のある洋式便器に適用できる。
【００７０】
本実施例において、前記給水管１が前記作動チャンバー１１に対応する前側の水路に、さらに交換できるノズル１０が取り付けられ、前記ノズル１０を利用して水の流速を調節することができ、従って、洗浄効果を向上することができる。
【００７１】
本発明の洗浄する前の状態は図２２、図２３に示すように、このとき、浮き容器３と浮子５は浮き上がる状態であり、バッフル板２は開いた状態であり、スライド７１の引っ掛かり部７４は制御レバー４の凸部４１に引っ掛かる。
【００７２】
図２４に示すように、洋式便器を洗い流す時に、排水弁が作動し、タンク内の水を洋式便器の噴射水路に排出し、タンク内の水位が低くなり、給水弁を駆動して給水する。給水弁から水が出ると、洗浄水は給水管１に提供され、同時に、タンク内の水は給水管１の連通口１２を通して給水管１に吸収され、給水弁からの洗浄水と一緒に洗浄水路に排水され、洋式便器の便鉢面を洗い流す。タンク内の水位が浮き容器３の作動水位まで下がるまで、浮き容器３は浮き上がる状態を保ち、スライド７１の引っ掛かり７４部は制御レバー４の凸部４１に引っ掛かり、制御レバー４が下に落ちず、バッフル板２は開いた状態を保つ。図２５に示すように、タンク内の水位が継続して下がり（浮き容器３の作動水位より低い）、浮き容器３は下へ移動し始め、駆動部品７３とともに反時計回りの方向（図２４の視野で見る状態）に回転させてスライド７１を制御レバー４から離れる方向へ押して水平移動させ、このことで、制御レバー４をスライド７１の位置制限から外し、トーションバネ７２はエネルギーを蓄積する。図２６に示すように、この過程において、浮子５はタンク内水位の低下に伴って下がり、制御レバー４の重力作用と一緒に、バッフル板２を駆動して反時計回り方向へ回転させて給水管１の内部水路を閉める。この時に、給水弁は続いて給水し、大部分の洗浄水は給水管１の連通口１２を通して洋式便器タンクに貯水され、少量の洗浄水は補水通路１２を通して洋式便器の洗浄水路に流れ、洋式便器を補水する。
【００７３】
図２７に示すように、貯水過程において、タンク内の水位は段々高くなり、タンク内の水位は浮き容器３の最低作動水位より高い時に、浮き容器３は浮き上がり、それで完全に浮き上がる。浮き容器３の上昇に伴い、駆動部品７３は段々時計回りの方向に回転し、同時に、トーションバネがエネルギーを放出し、スライド７１を制御レバーの方向に押して水平運動する。その時、給水弁は相変わらず給水し、バッフル板２に反時計回りの引っ張る力を与え、制御レバー４に下方向への引っ張る力を間接的に提供し、且つ、タンク内の水位は浮子５を埋める時に、前記引っ張る力は浮子５の浮力より大きいので、給水管１は閉じた状態を保ち、タンクが継続して貯水する。
【００７４】
貯水が終わった後に、給水弁から入る水がバッフル板２への衝突力を消失し、浮子５が受ける浮力は浮子５及び制御レバー４の重力より大きくなり、浮子５は制御レバー４とともに浮き上がり、完全に開くまで、バッフル板２を引っ張って時計回りの方向に回転させ、次回の排水に備える。制御レバー４は浮き上がる過程において、凸部４１のガイド斜面はスライド７１の引っ掛かり部７４のガイド斜面に触れ、且つ、制御レバー４が上がりつつあると共に、凸部４１のガイド斜面はスライドを押して滑動し、場所を与え、凸部４１は上に上がり、スライド７１の引っ掛かり部７４を超えてスライド７１の引っ掛かり部７４に引っ掛かり、洗浄する前の状態に戻す。
【００７５】
＜実施例七＞
図２８〜図３０に示すように、本実施例と実施例六の相違は、前記浮き容器３は回転可能にサポート６に取り付けられ、且つ、洋式便器タンク内の水位が作動水位より低い時に回転し始めることである。前記制御レバー４の側面に凸部４１が設けられ、且つ前記凸部４１の外側に上方向に向かって設置されるガイド斜面が設けられ、前記浮き容器３は凸部４１を引っ掛けるホック３１が設けられ、浮き容器３が回転する前に、ホック３１は凸部４１を引っ掛け、それで、前記制御レバーの下方向への運動を制限する。
【００７６】
図２８に示すように、タンク内の水位は浮き容器３の作動水位より低い時に、浮き容器３は回転し始め、制御レバー４はホックから離れる。この過程において、浮子５はタンク内水位の低下に伴って下がり、給水管１の内部水路を閉めるまで、制御レバー４の重力作用と一緒に、バッフル板２を駆動して回転する。
【００７７】
図２９に示すように、貯水過程において、タンク内の水位は段々高くなり、タンク内の水位は浮き容器３の最低作動水位より高い時に、浮き容器３は完全に浮き上がるまで、反時計回りの方向に回転する。その時、給水弁は相変わらず給水し、バッフル板２の回転を障害する押し力を与え、制御レバー４に下方向への引っ張る力を間接的に提供し、且つ、タンク内の水位は浮子５を水没させる時に、引っ張る力は浮子５の浮力より大きいので、給水管１は閉じた状態を保ち、タンクが継続して貯水する。
【００７８】
図３０に示すように、貯水が終わった後に、給水弁から入る水がバッフル板２への衝突力を消失し、浮子５が受ける浮力は浮子５及び制御レバー４の重力より大きく、浮子５は制御レバー４とともに浮き上がり、完全に開くまで、バッフル板２を引っ張って回転させ、次回の排水に備える。制御レバー４は浮き上がる過程において、凸部４１のガイド斜面は浮き容器３のホック３１に触れ、且つ、制御レバーに伴って継続的に浮き上がると共に、前記凸部４１のガイド斜面は浮き容器３のホック３１を押して小さい角度で揺動させることで、凸部４１は上に上がり、浮き容器３のホック３１を超えて浮き容器３のホック３１に引っ掛かり、洗浄する前の状態に戻す。
【００７９】
＜実施例八＞
図３１〜図３４に示すように、実施例六との相違として、前記オープン部は洋式便器の排水制御機構と相互連動するレバー８であり、前記レバー８は前記制御レバー４と連接していることである。具体的には、前記レバー８は回転可能に前記サポート６の上部に接続され、且つ、前記レバー８は回転軸のラジアル方向に沿って第二接続部が設けられ、前記第二接続部に条状孔８１が設けられ、前記制御レバー４の上部の側面に一つのピン４５が設けられ、前記ピン４５は条状孔８１と滑動可能にフィットする。
【００８０】
排水を駆動するまで、タンク内の水位は浮き容器３の作動水位より高く、浮き容器３が浮き上がり、制御レバー４とバッフル板２の材料の比重は水より大きいので、制御レバー４は最低位置にあり、バッフル板２は給水管１の内部水路を閉める状態を保つ。
【００８１】
図３１に示すように、排水を駆動する時に、駆動レバー８を連動して制御レバー４とともに上へと運動し、そのことで、バッフル板２とともに回して給水管１の内部水路を開き、制御レバー４側面の凸部４１は浮き容器３のホック３１に引っ掛かる。タンク内の水位が浮き容器３の作動水位より低くなるまで、浮き容器３は浮き上がる状態を保ち、スライド７１の引っ掛かり７４部は制御レバー４の凸部４１に引っ掛かり、制御レバー４が下に落ちず、バッフル板２は開いた状態を保つ。図３３に示すように、タンク内の水位は浮き容器３の作動水位より低い時に、浮き容器３は下へと移動し始め、駆動部品７３を反時計回りの方向（図３２の視野で見る状態）に回転させてスライド７１を押して制御レバー４から離れる方向へと水平移動させ、このことで、制御レバー４はスライド７１の位置制限から離れ、トーションバネ７２はエネルギーを蓄積する。この過程において、制御レバー４は重力作用を受けて下へと運動し、バッフル板２を駆動し逆の方向へ回転させて給水管１の内部水路を閉める。給水弁は続いて給水し、大部分の洗浄水は給水管１の連通口１２を通して洋式便器タンクに貯水され、少量の洗浄水は補水通路１２を通して洋式便器の洗浄水路に流れ、洋式便器を補水する。
【００８２】
図３４に示すように、貯水過程において、タンク内の水位は段々高くなり、タンク内の水位は浮き容器３の最低作動水位より高い時に、浮き容器３は浮き上がり、それで完全に浮き上がる。浮き容器３の上昇に伴い、駆動部品７３は段々時計回りの方向に回転すると同時に、トーションバネがエネルギーを放出し、スライド７１を制御レバー４の方向に押して水平運動させる。その時、給水弁は相変わらず給水し、バッフル板２に回転を障害する押し力を与え、制御レバー４に下方向への引っ張る力を間接的に提供し、且つ、制御レバー４は同時に重力を受けるので、給水管１は閉じた状態を保ち、タンクが継続して貯水する。
【００８３】
図３４に示すように、貯水が終わった後に、給水弁から入る水がバッフル板２への衝突力を消失し、制御レバー４は自身の重力を受けて、最低位置にあり、バッフル板２は給水管１の内部水路を閉じた状態を保ち、次回の駆動排水に備える。
【００８４】
前記実施例は本発明のロータンク洋式便器の洗浄水制御装置の好ましい実施例であり、本発明は実施例に限定されるものではなく、当業者が、本発明の技術実質に基づき、前記実施例に対するいかなる簡単な修正、類似変化及び修飾は本発明技術案の保護範囲に属する。
【００８５】
本発明は洋式便器洗浄水路の給水量を安定に制御することができ、給水圧力の変化からの影響が小さく、同じデザインの給水弁、排水弁を取り付ける時、洗浄効果を満足することを前提として、その給水量が安定で、作動圧力に制限されなくなる。
【図１】
0006749333.tif 000002
【図２】
0006749333.tif 000003
【図３】
0006749333.tif 000004
【図４】
0006749333.tif 000005
【図５】
0006749333.tif 000006
【図６】
0006749333.tif 000007
【図７】
0006749333.tif 000008
【図８】
0006749333.tif 000009
【図９】
0006749333.tif 000010
【図１０】
0006749333.tif 000011
【図１１】
0006749333.tif 000012
【図１２】
0006749333.tif 000013
【図１３】
0006749333.tif 000014
【図１４】
0006749333.tif 000015
【図１５】
0006749333.tif 000016
【図１６】
0006749333.tif 000017
【図１７】
0006749333.tif 000018
【図１８】
0006749333.tif 000019
【図１９】
0006749333.tif 000020
【図２０】
0006749333.tif 000021
【図２１】
0006749333.tif 000022
【図２２】
0006749333.tif 000023
【図２３】
0006749333.tif 000024
【図２４】
0006749333.tif 000025
【図２５】
0006749333.tif 000026
【図２６】
0006749333.tif 000027
【図２７】
0006749333.tif 000028
【図２８】
0006749333.tif 000029
【図２９】
0006749333.tif 000030
【図３０】
0006749333.tif 000031
【図３１】
0006749333.tif 000032
【図３２】
0006749333.tif 000033
【図３３】
0006749333.tif 000034
【図３４】
0006749333.tif 000035